(57)【要約】【課題】床の断熱性能を大幅に向上することができ、また、床鳴りの発生を抑制ないしは防止することができる断熱床構造を提供する。【解決手段】床用面材１の下面側に根太レスで発泡樹脂製断熱材２が設置され、発泡樹脂製断熱材２に分散して明けられた複数の貫通孔５内のそれぞれに支柱材３が挿入され、床用面材１が支柱材３を介して大引４と結合されている。結合は背高ビス８を用いて床上から大引４にねじ込んで締結することにより行えばよい。また、各所にこすれ音発生防止材７，９，１０が設置されている。【選択図】      図１
2004211320.tif 000002
【特許請求の範囲】
【請求項１】
床用面材の下面側に根太レスで発泡樹脂製断熱材が設置され、発泡樹脂製断熱材に分散して明けられた複数の貫通孔内のそれぞれに支柱材が挿入され、床用面材が支柱材を介して大引と結合されていることを特徴とする断熱床構造。
【請求項２】
支柱材が筒状材からなり、結合具が支柱材の内部を通じて床用面材と大引とを締結している請求項１に記載の断熱床構造。
【請求項３】
結合具が背高ビスからなり、該背高ビスが床用面材の上から大引に打ち込まれて床用面材と大引とが支柱材を介して締結されている請求項１又は２に記載の断熱床構造。
【請求項４】
床用面材と発泡樹脂製断熱材との間に、それらのこすれ音の発生を防止する第１こすれ音発生防止シートが介設されている請求項１乃至４のいずれか一に記載の断熱床構造。
【請求項５】
前記第１こすれ音発生防止シートが支柱材の上端と床用面材との間に介設されている請求項４に記載の断熱床構造。
【請求項６】
支柱材と大引との間に、それらのこすれ音の発生を防止する第２こすれ音発生防止部材が介設されている請求項１乃至５のいずれか一に記載の断熱床構造。
【請求項７】
前記第２こすれ音発生防止部材がゴム状材からなる請求項６に記載の断熱床構造。
【請求項８】
前記第２こすれ音発生防止部材に発泡樹脂製断熱材の下面側に突出する張出し部が備えられ、発泡樹脂製断熱材が該張出し部で下から支えられて大引から離間している請求項６又は７に記載の断熱床構造。
【発明の詳細な説明】
【０００１】
【発明の属する技術分野】
本発明は、断熱床構造に関する。
【０００２】
【従来の技術】
断熱床構造として、床用面材の下面側の木製根太間に発泡樹脂製の断熱材を設置するようにしたものがある。
【０００３】
【発明が解決しようとする課題】
しかしながら、上記のような床構造では、断熱材が根太で分断されるため、根太部分を通じて上下方向に熱の行き来が行われ、そのため、床の断熱性能を高めるのに限界があった。
【０００４】
また、根太は、背高の横軸材であるため、床用面材や断熱材と広い面積で接触し、そのため、それらのこすれによって床鳴りを生じさせやすいという問題もあった。根太の乾燥収縮によって生じる床鳴りはその一例である。
【０００５】
本発明は、上記のような問題点に鑑み、床の断熱性能を大幅に向上することができ、また、床鳴りの発生を抑制ないしは防止することができる断熱床構造を提供することを課題とする。
【０００６】
【課題を解決するための手段】
上記の課題は、床用面材の下面側に根太レスで発泡樹脂製断熱材が設置され、発泡樹脂製断熱材に分散して明けられた複数の貫通孔内のそれぞれに支柱材が挿入され、床用面材が支柱材を介して大引と結合されていることを特徴とする断熱床構造によって解決される。
【０００７】
この断熱床構造では、根太をなくし、それに替えて支柱材を採用し、床用面材を支柱材による複数点支持で大引上に支えさせる構成とし、支柱材は発泡樹脂製断熱材に分散して明けられた貫通孔に挿入するようにしているものであるから、発泡樹脂製断熱材を床用面材の下面側の広い面積にわたって設置することができるようになり、そのため、床の断熱性能を大幅に向上することができる。
【０００８】
上記の断熱床構造において、支柱材が筒状材からなり、結合具が支柱材の内部を通じて床用面材と大引とを締結している場合は、床用面材と大引とを少ない数の結合具で安定良くしっかりと結合することができ、同時に、支柱材も床用面材と大引とに一体化し、肉薄の床用面材であっても撓みにくい床を形成することができる。
【０００９】
結合具が背高ビスからなり、該背高ビスが床用面材の上から大引に打ち込まれて床用面材と大引とが支柱材を介して締結されている場合は、ビスを用いた下向き作業によって、床用面材を支柱材を介して容易に大引に結合させることができる。
【００１０】
そして、上記の断熱床構造において、床用面材と発泡樹脂製断熱材との間に、それらのこすれ音の発生を防止する第１こすれ音発生防止シートが介設されている場合は、床用面材と発泡樹脂製断熱材とのこすれによる床鳴りの発生を防止することができる。
【００１１】
また、この第１こすれ音発生防止シートが支柱材の上端と床用面材との間にも介設されている場合は、簡素な構造で、支柱材の上端と床用面材とのこすれによる床鳴りの発生を防止することができる。特に、無孔の第１こすれ音発生防止シートを用い、このシートを支柱材の上端と床用面材との間に介設し、上記の背高ビスでこのシートを貫通させる方法ないしは構造とすることにより、支柱材の上端と床用面材とのこすれによる床鳴り防止を施工容易に実現することができる。
【００１２】
更に、支柱材と大引との間に、それらのこすれ音の発生を防止する第２こすれ音発生防止部材が介設されている場合は、支柱材と大引とのこすれによる床鳴りの発生を防止することができる。この第２こすれ音発生防止部材がゴム状材からなる場合は、ゴム状材の変形によって支柱材と大引とのこすれそのものをなくすことができる。
【００１３】
この第２こすれ音発生防止部材に発泡樹脂製断熱材の下面側に突出する張出し部が備えられ、発泡樹脂製断熱材が該張出し部で下から支えられて大引から離間している場合は、発泡樹脂製断熱材と大引とのこすれによる床鳴りの発生を防止することができ、しかも、それを支柱材と大引とのこすれによる床鳴り発生を防止第２こすれ音発生防止部材を兼用して防止するようになされているので、簡素な構造で発泡樹脂製断熱材と大引とのこすれによる床鳴り発生を防止することができる。
【００１４】
【発明の実施の形態】
次に、本発明の実施形態を図面に基づいて説明する。
【００１５】
図１乃至図３に示す実施形態の断熱床構造において、１は床用面材、２は発泡樹脂製断熱材、３は支柱材、４は大引である。床用面材１は、例えば９０ｃｍ四方に正方形板からなっていて、その下面側には根太がなく発泡樹脂製断熱材２が設置され、発泡樹脂製断熱材２には、支柱材３を挿入するための貫通孔５…が左右の大引４，４の位置に対応して分散状態に、本実施形態では四隅部に明けられ、各貫通孔５…に支柱材３…が挿入され、床用面材１が各支柱材３…を介して大引４，４上に支承されている。６は束である。
【００１６】
そして、各支柱材３…は、乾燥で収縮しにくい例えばプラスチック製の筒状材からなっていて、また、大引４，４は中空の鋼製大引からなっており、床用面材１の上方より各支柱材３…の内部を通じて打ち込まれた結合具としての背高ビス８…が大引４，４にねじ込まれることで、床用面材１がこれら支柱材３…を介して大引４，４に締結結合されている。
【００１７】
更に、床用面材１と発泡樹脂製断熱材２との間に、それらのこすれ音の発生を防止する第１こすれ音発生防止シート７が介設されている。また、この第１こすれ音発生防止シート７は、支柱材３の上端と床用面材１との間に介在するように備えられいて、背高ビス８の締付けで支柱材３の上端と床用面材１との間に挟み込まれている。このシート７は、テフロン（登録商標）やポリプロピレンなどからなる良滑り性シートからなっている。シート７には背高ビス８を通す孔を予め明けおくことはせず、背高ビス８の打込みによってシート７にビス通し孔を明けるようにすればよい。なお、支柱材３の上端と床用面材１との間のこすれは別途こすれ音発生防止テープなどで防止するようにしてもよい。
【００１８】
また、各支柱材３…と大引４，４との間にはそれぞれ、それらのこすれ音の発生を防止する第２こすれ音発生防止部材９…が介設されている。各第２こすれ音発生防止部材９は、キャップ状のゴム状材からなっていて、支柱材３の下端部と嵌合しており、更に、発泡樹脂製断熱材２の下面側に突出する環状の張出し部１０を備えていて、発泡樹脂製断熱材２は、その下面をこの張出し部１０に支えられて、大引４から離間保持されている。
【００１９】
また、隣り合う同様の床パネルとの間には、第１こすれ音発生防止シート７と同種の第３こすれ音発生防止シート１１が介設され、隣り合う床用面材１…間や隣り合う発泡樹脂製断熱材２…間でそれらのこすれ音による床鳴りが発生しないようになされている。
【００２０】
上記の断熱床構造では、根太が排除され、それに替えて複数の支柱材３…を用い、床用面材１を支柱材３…による複数点支持で大引４，４上に支えさせる構成とし、各支柱材３…は発泡樹脂製断熱材２に分散して明けられた貫通孔５…に挿入されているから、発泡樹脂製断熱材２を床用面材１の下面側の広い面積にわたって設置することができ、床の断熱性能を非常に高いものにすることができる。
【００２１】
また、支柱材３が筒状材からなっており、背高ビス８が支柱材３の内部を通じて床用面材１と大引４とを締結しているので、床用面材１と大引４とを少ない数の背高ビス８…安定良くしっかりと結合することができ、同時に、支柱材３…も床用面材１と大引４，４とに一体化されて、床用面材１が肉薄のものからなっていても撓みにくい床を形成することができる。しかも、背高ビス８…は床用面材１の上から大引４に打ち込まれて大引４にねじ込まれているので、床用面材１と大引４との結合作業を、下向きのビス打ち作業によって容易に行っていくことができる。
【００２２】
そして、床用面材１と発泡樹脂製断熱材２とのこすれは第１こすれ音発生防止シート７で防止され、また、支柱材３…の上端と床用面材１とのこすれも同じく第１こすれ音発生防止シート７で防止され、支柱材３…と大引４，４とのこすれは第２こすれ音発生防止部材９…によって防止され、発泡樹脂製断熱材２と大引４，４とのこすれは第２こすれ音発生防止部材９の張出し部１０が発泡樹脂製断熱材２を下から支えることによって防止され、また、隣り合う床パネル間のこすれは第３こすれ音発生防止シート１１で防止され、これらによって、床鳴りの発生が防止される。
【００２３】
以上に、本発明の実施形態を示したが、本発明はこれに限られるものではなく、発明思想を逸脱しない範囲で各種の変更が可能である。例えば、支柱材３の形態に制限はないし、結合具としてビス以外のものが用いられてもよいし、支柱材の位置と結合具の位置が一致してなくてもよいし、大引として木製のものが用いられてもよい。一つの面材に用いる支柱材の本数や貫通孔の分散のさせ方も種々設定されてよい。根太を省略することによる床用面材の撓みは、床用面材の平面サイズを小さくし、厚さ寸法を大きくすることなどで防ぐことが可能である。また、本発明の断熱床構造は、床暖房システムの採用において用いられてもよいし、床暖房とは関係なく用いられてもよい。
【００２４】
【発明の効果】
本発明は、以上のとおりのものであるから、床の断熱性能を大幅に向上することができ、また、床鳴りの発生を抑制ないしは防止することができる。
【図面の簡単な説明】
【図１】実施形態の断熱床構造を示す分解斜視図である。
【図２】同分解断面側面図である。
【図３】図（イ）は完成状態の断熱床構造を示す断面側面図、図（ロ）は図（イ）の要部拡大図である。
【符号の説明】
１…床用面材
２…発泡樹脂製断熱材
３…支柱材
４…大引
５…貫通孔
７…第１こすれ音発生防止シート
８…背高ビス（結合具）
９…第２こすれ音発生防止部材
１０…張出し部
【図１】
2004211320.tif 000003
【図２】
2004211320.tif 000004
【図３】
2004211320.tif 000005